(57)【特許請求の範囲】
【請求項１】
電子部品と、該電子部品に電気接続されているとともに外部端子と嵌合される外部端子接続部と、を有し、保持部材の収容部に収容される電子部品組立体であって、
前記外部端子接続部と前記電子部品とが、前記外部端子接続部と前記外部端子との嵌合方向と交差する方向に配置されており、
前記外部端子接続部が、前記外部端子接続部と前記外部端子との嵌合方向において、前記電子部品の幅内に収まっている
ことを特徴とする電子部品組立体。
【請求項２】
絶縁板にバスバが取り付けられて成る基板を有し、
前記外部端子接続部が、前記バスバの一部であり、
前記外部端子接続部と前記外部端子との嵌合方向が前記基板と平行である
ことを特徴とする請求項１に記載の電子部品組立体。
【請求項３】
絶縁板に配線パターンが印刷された基板を有し、
前記外部端子接続部が、前記配線パターンの一部であり、
前記外部端子接続部と前記外部端子との嵌合方向が前記基板と平行である
ことを特徴とする請求項１に記載の電子部品組立体。
【請求項４】
前記バスバに、前記電子部品が電気接続される部品搭載部と、前記外部端子接続部と、前記部品搭載部と前記外部端子接続部との間に位置する中間部と、が設けられ、
前記電子部品の少なくとも片側には、複数の前記外部端子接続部が配置され、
少なくとも１つの前記バスバの前記中間部が直角に折り曲げられている
ことを特徴とする請求項２に記載の電子部品組立体。
【請求項５】
前記電子部品の両側には、複数の前記外部端子接続部が配置され、
すべての前記バスバの前記中間部が直角に折り曲げられており、
すべての前記外部端子接続部に対する前記外部端子の嵌合方向及び前記外部端子の向きが同一である
ことを特徴とする請求項４に記載の電子部品組立体。
【請求項６】
前記絶縁板に、前記外部端子接続部よりも、前記収容部への挿入方向先端側に突出した挿入ガイド部が設けられている
ことを特徴とする請求項２ないし請求項５のうちいずれか１項に記載の電子部品組立体。
【請求項７】
前記挿入ガイド部の先端に、前記収容部への挿入方向先端側に向かうにしたがって前記絶縁板の厚みを徐々に小さくするテーパーが形成されている
ことを特徴とする請求項６に記載の電子部品組立体。
【請求項８】
前記絶縁板における前記収容部への挿入方向後端に、平坦面が形成されている
ことを特徴とする請求項２ないし請求項７のうちいずれか１項に記載の電子部品組立体。
【請求項９】
前記外部端子接続部が複数設けられ、前記外部端子接続部と前記外部端子との嵌合方向の位置が異なる外部端子接続部を有している
ことを特徴とする請求項１ないし請求項８のうちいずれか１項に記載の電子部品組立体。
【請求項１０】
前記電子部品が、基板用リレーである
ことを特徴とする請求項１ないし請求項９のうちいずれか１項に記載の電子部品組立体。
【請求項１１】
請求項１ないし請求項１０のうちいずれか１項に記載の電子部品組立体と、前記電子部品組立体が収容される保持部材と、を有している
ことを特徴とする電子部品モジュール。
【請求項１２】
請求項１ないし請求項１０のうちいずれか１項に記載の電子部品組立体と、前記電子部品組立体が収容される保持部材と、を有している
ことを特徴とする電気接続箱。
【発明の詳細な説明】
【技術分野】
【０００１】
本発明は、電子部品と外部端子とを電気的に接続するための電子部品組立体、該電子部品組立体を有する電子部品モジュール及び該電子部品組立体を有する電気接続箱に関するものである。
【背景技術】
【０００２】
図２２は、従来の電気接続箱における電子部品と外部端子との接続構造を説明するための説明図である。図２２において、符号２０１は電気接続箱であり、符号２１５は電気接続箱２０１のケースであり、符号１６はリレー（電子部品）であり、符号１９はリレー１６に接続されるコネクタである。
【０００３】
上記ケース２１５は、リレー１６及びコネクタ１９が装着されるケース本体２１５ａ（保持部材）と、ケース本体２１５ａの上面を覆うアッパーカバー２１５ｂと、ケース本体２１５ａの下面を覆うロアカバー２１５ｃと、で構成されている。
【０００４】
上記リレー１６は、矩形状のリレー本体１６ａと、リレー本体１６ａから突出した複数の端子部１６ｂと、を有している。
【０００５】
上記コネクタ１９は、リレー１６の複数の端子部１６ｂに電気接続される複数の雌端子金具１４（外部端子）と、複数の雌端子金具１４を収容したコネクタハウジングとを有している。また、各雌端子金具１４は、電線１２の端末に接続されている。
【０００６】
上記構成の電気接続箱２０１においては、ケース本体２１５ａにコネクタ１９が装着され、リレー１６の各端子部１６ｂがコネクタ１９の各雌端子金具１４内に差し込まれることにより、リレー１６と複数の雌端子金具１４とが電気接続される（例えば特許文献１を参照。）。
【先行技術文献】
【特許文献】
【０００７】
【特許文献１】特開２０１０−２２１７８７号公報
【発明の概要】
【発明が解決しようとする課題】
【０００８】
しかしながら、上述した電気接続箱２０１におけるリレー１６と雌端子金具１４との接続構造においては、ケース２１５内に占める体積が大きいという問題があった。特に、リレー１６と雌端子金具１４との嵌合方向の寸法が、最低でもリレー本体１６ａの高さ寸法Ｈ３と、コネクタ１９の高さ寸法Ｈ４とを合わせた寸法Ｈ２となってしまうことから、ケース２１５の高さ方向（矢印Ｙ方向）の寸法が大きくなってしまうという問題があった。
【０００９】
したがって、本発明は、外部端子接続部と外部端子との嵌合方向の寸法を小型化でき、保持部材を小型化できる電子部品組立体、該電子部品組立体を有する電子部品モジュール及び該電子部品組立体を有する電気接続箱を提供することを目的とする。
【課題を解決するための手段】
【００１０】
上記目的を達成するために請求項１に記載された発明は、電子部品と、該電子部品に電気接続されているとともに外部端子と嵌合される外部端子接続部と、を有し、保持部材の収容部に収容される電子部品組立体であって、前記外部端子接続部と前記電子部品とが、前記外部端子接続部と前記外部端子との嵌合方向と交差する方向に配置されており、前記外部端子接続部が、前記外部端子接続部と前記外部端子との嵌合方向において、前記電子部品の幅内に収まっていることを特徴とする電子部品組立体である。
【００１１】
請求項２に記載された発明は、請求項１に記載された発明において、絶縁板にバスバが取り付けられて成る基板を有し、前記外部端子接続部が、前記バスバの一部であり、前記外部端子接続部と前記外部端子との嵌合方向が前記基板と平行であることを特徴とするものである。
【００１２】
請求項３に記載された発明は、請求項１に記載された発明において、絶縁板に配線パターンが印刷された基板を有し、前記外部端子接続部が、前記配線パターンの一部であり、前記外部端子接続部と前記外部端子との嵌合方向が前記基板と平行であることを特徴とするものである。
【００１３】
請求項４に記載された発明は、請求項２に記載された発明において、前記バスバに、前記電子部品が電気接続される部品搭載部と、前記外部端子接続部と、前記部品搭載部と前記外部端子接続部との間に位置する中間部と、が設けられ、前記電子部品の少なくとも片側には、複数の前記外部端子接続部が配置され、少なくとも１つの前記バスバの前記中間部が直角に折り曲げられていることを特徴とするものである。
【００１４】
請求項５に記載された発明は、請求項４に記載された発明において、前記電子部品の両側には、複数の前記外部端子接続部が配置され、すべての前記バスバの前記中間部が直角に折り曲げられており、すべての前記外部端子接続部に対する前記外部端子の嵌合方向及び前記外部端子の向きが同一であることを特徴とするものである。
【００１５】
請求項６に記載された発明は、請求項２ないし請求項５のうちいずれか１項に記載された発明において、前記絶縁板に、前記外部端子接続部よりも、前記収容部への挿入方向先端側に突出した挿入ガイド部が設けられていることを特徴とするものである。
【００１６】
請求項７に記載された発明は、請求項６に記載された発明において、前記挿入ガイド部の先端に、前記収容部への挿入方向先端側に向かうにしたがって前記絶縁板の厚みを徐々に小さくするテーパーが形成されていることを特徴とするものである。
【００１７】
請求項８に記載された発明は、請求項２ないし請求項７のうちいずれか１項に記載された発明において、前記絶縁板における前記収容部への挿入方向後端に、平坦面が形成されていることを特徴とするものである。
【００１８】
請求項９に記載された発明は、請求項１ないし請求項８のうちいずれか１項に記載された発明において、前記外部端子接続部が複数設けられ、前記外部端子接続部と前記外部端子との嵌合方向の位置が異なる外部端子接続部を有していることを特徴とするものである。
【００１９】
請求項１０に記載された発明は、請求項１ないし請求項９のうちいずれか１項に記載された発明において、前記電子部品が、基板用リレーであることを特徴とするものである。
【００２０】
請求項１１に記載された発明は、請求項１ないし請求項１０のうちいずれか１項に記載の電子部品組立体と、前記電子部品組立体が収容される保持部材と、を有していることを特徴とする電子部品モジュールである。
【００２１】
請求項１２に記載された発明は、請求項１ないし請求項１０のうちいずれか１項に記載の電子部品組立体と、前記電子部品組立体が収容される保持部材と、を有していることを特徴とする電気接続箱である。
【発明の効果】
【００２２】
請求項１に記載された発明によれば、前記外部端子接続部と前記電子部品とが、前記外部端子接続部と前記外部端子との嵌合方向と交差する方向に配置されているので、外部端子接続部と外部端子との嵌合方向の寸法を小型化でき、保持部材を小型化できる電子部品組立体を提供することができる。
【００２３】
請求項２に記載された発明によれば、絶縁板にバスバが取り付けられて成る基板を有し、前記外部端子接続部が、前記バスバの一部であり、前記外部端子接続部と前記外部端子との嵌合方向が前記基板と平行であるので、電子部品組立体を低コストで提供することができる。
【００２４】
請求項３に記載された発明によれば、絶縁板に配線パターンが印刷された基板を有し、前記外部端子接続部が、前記配線パターンの一部であり、前記外部端子接続部と前記外部端子との嵌合方向が前記基板と平行であるので、回路配索の自由度を高めることができる。
【００２５】
請求項４に記載された発明によれば、前記バスバに、前記電子部品が電気接続される部品搭載部と、前記外部端子接続部と、前記部品搭載部と前記外部端子接続部との間に位置する中間部と、が設けられ、前記電子部品の少なくとも片側には、複数の前記外部端子接続部が配置され、少なくとも１つの前記バスバの前記中間部が直角に折り曲げられているので、保持部材にデッドスペースを生じにくくすることができる。
【００２６】
請求項５に記載された発明によれば、前記電子部品の両側には、複数の前記外部端子接続部が配置され、すべての前記バスバの前記中間部が直角に折り曲げられており、すべての前記外部端子接続部に対する前記外部端子の嵌合方向及び前記外部端子の向きが同一であるので、電子部品組立体の投影形状すなわち平面形状が矩形状となり、保持部材にデッドスペースを生じにくくすることができる。また、外部端子接続部と外部端子との嵌合作業を効率化することができる。
【００２７】
請求項６に記載された発明によれば、前記絶縁板に、前記外部端子接続部よりも、前記収容部への挿入方向先端側に突出した挿入ガイド部が設けられているので、外部端子接続部が収容部に挿入される前に挿入ガイド部が収容部に挿入されることになり、そのために、外部端子接続部を真っ直ぐ収容部に挿入することができる。よって、外部端子接続部のこじりを防止できる。
【００２８】
請求項７に記載された発明によれば、前記挿入ガイド部の先端に、前記収容部への挿入方向先端側に向かうにしたがって前記絶縁板の厚みを徐々に小さくするテーパーが形成されているので、挿入ガイド部を容易に収容部に挿入することができる。
【００２９】
請求項８に記載された発明によれば、前記絶縁板における前記収容部への挿入方向後端に、平坦面が形成されているので、電子部品組立体を収容部に挿入する際に平坦面を押すことができ、容易に挿入することができる。
【００３０】
請求項９に記載された発明によれば、前記外部端子接続部が複数設けられ、前記外部端子接続部と前記外部端子との嵌合方向の位置が異なる外部端子接続部を有しているので、外部端子が取り付けられた電線の取り回しを容易にすることができる。
【００３１】
請求項１０に記載された発明によれば、前記電子部品が、基板用リレーであるので、電子部品組立体をさらに小型化することができる。
【００３２】
請求項１１に記載された発明によれば、請求項１ないし請求項１０のうちいずれか１項に記載の電子部品組立体と、前記電子部品組立体が収容される保持部材と、を有しているので、小型化可能な電子部品モジュールを提供することができる。
【００３３】
請求項１２に記載された発明によれば、請求項１ないし請求項１０のうちいずれか１項に記載の電子部品組立体と、前記電子部品組立体が収容される保持部材と、を有しているので、小型化可能な電気接続箱を提供することができる。
【図面の簡単な説明】
【００３４】
【図１】本発明の第１の実施形態にかかる電子部品組立体及び電子部品モジュールを示す図であり、（ａ）は平面図、（ｂ）は正面図である。
【図２】図１に示された電子部品モジュールの分解図である。
【図３】本発明の第２の実施形態にかかる電子部品モジュールの斜視図である。
【図４】図３に示された電子部品モジュールが適用された電気接続箱の平面図である。
【図５】図４に示された電気接続箱の分解図である。
【図６】本発明の第３の実施形態にかかる電子部品組立体及び電子部品モジュールを示す図であり、（ａ）は平面図、（ｂ）は正面図である。
【図７】図６に示された電子部品モジュールの分解図である。
【図８】本発明の第４の実施形態にかかる電子部品モジュールが適用された電気接続箱の平面図である。
【図９】図８中のＢ−Ｂ線に沿った断面図である。
【図１０】本発明の第５の実施形態にかかる電子部品組立体及び電子部品モジュールを示す図であり、（ａ）は平面図、（ｂ）は正面図である。
【図１１】図１０に示された電子部品モジュールの分解図である。
【図１２】本発明の第６の実施形態にかかる電子部品組立体及び電子部品モジュールを示す図であり、（ａ）は平面図、（ｂ）は正面図である。
【図１３】図１２に示された電子部品モジュールの分解図である。
【図１４】本発明の第７の実施形態にかかる電子部品組立体及び電子部品モジュールの斜視図である。
【図１５】図１４に示された電子部品組立体の分解図である。
【図１６】図１４に示された電子部品組立体を構成するバスバの斜視図である。
【図１７】図１４に示された保持部材の下面側を示す斜視図である。
【図１８】図１４に示された電子部品モジュールの分解方法の一例を説明する説明図である。
【図１９】図１８中のＣ−Ｃ線に沿った断面図である。
【図２０】図１８に示された治具の斜視図である。
【図２１】本発明の電子部品組立体の外部端子接続部に接続可能な外部端子を示す斜視図である。
【図２２】従来の電気接続箱における電子部品と外部端子との接続構造を説明するための説明図である。
【発明を実施するための形態】
【００３５】
（第１の実施形態）
本発明の第１の実施形態にかかる「電子部品組立体」及び「電子部品モジュール」を図１〜２を参照して説明する。
【００３６】
上記電子部品組立体１Ａは、図１，２に示すように、基板用リレー１０（請求項の「電子部品」に相当する。）と、該基板用リレー１０に電気接続されているとともに雌端子金具９（請求項の「外部端子」に相当する。）と嵌合される外部端子接続部４１と、を有するものであり、基板用リレー１０と複数の雌端子金具９とを電気的に接続するためのものである。また、電子部品組立体１Ａは、保持部材３Ａの内部空間、すなわち収容部、に収容される。
【００３７】
上記電子部品モジュール１３Ａは、上記電子部品組立体１Ａと、上記保持部材３Ａと、を有するものである。
【００３８】
上記複数の雌端子金具９は、電線１２ａ〜１２ｄの端末に取り付けられたものであり、電線１２ａ〜１２ｄと電気接続される電線接続部９１と、後述する外部端子接続部４１を互いの間に挟持する一対の挟持片９２と、を有している。また、電線１２ａ〜１２ｄは、いずれも被覆電線であるが、電線径が異なるため、異なる符合を付している。電線１２ｂ，１２ｃは、電線１２ａ，１２ｄよりも電線径が大きい。
【００３９】
上記電子部品組立体１Ａの構成を詳細に説明する。電子部品組立体１Ａは、基板用リレー１０と、絶縁板５Ａに複数のバスバ４ａ，４ｂ，４ｃ，４ｄが取り付けられて成るバスバ基板２Ａ（請求項の「基板」に相当する。）と、を有している。
【００４０】
上記基板用リレー１０は、図２に示すように、６面の平面を有する立方体状のリレー本体１０ａと、リレー本体１０ａの１つの平面から突出した複数のリード部１０ｂと、を有している。
【００４１】
上記バスバ基板２Ａは、金属板から複数のバスバ４ａ〜４ｄが一括型抜きされ、これら複数のバスバ４ａ〜４ｄがインサート成形により絶縁板５Ａに取り付けられて形成されている。また、本発明では、インサート成形以外に、複数のバスバ４ａ〜４ｄを絶縁板５Ａに係止させることで取り付けるようにしても良い。
【００４２】
上記各バスバ４ａ〜４ｄには、基板用リレー１０及び抵抗１１が載置されてはんだ付けされる部品搭載部４２と、雌端子金具９と電気接続される外部端子接続部４１と、部品搭載部４２と外部端子接続部４１との間に位置する中間部４３と、が設けられている。部品搭載部４２は、平らに形成されており、基板用リレー１０のリード部１０ｂまたは抵抗１１のリード部が挿通される貫通孔が形成されている。外部端子接続部４１は、タブ状に形成されており、絶縁板５Ａの端部から突出している。この外部端子接続部４１は、雌端子金具９の一対の挟持片９２間に挿入される、すなわち嵌合される、ことにより該雌端子金具９と電気接続される。これら部品搭載部４２、中間部４３、外部端子接続部４１、は、同一平面上に配置されている。また、電子部品組立体１Ａにおいては、すべてのバスバ４ａ〜４ｄが同一平面上に配置されている。
【００４３】
上記複数のバスバ４ａ〜４ｄの外部端子接続部４１は、基板用リレー１０の両側に配置されている。具体的には、図２に示すように、バスバ４ａの外部端子接続部４１とバスバ４ｂの外部端子接続部４１とが、基板用リレー１０の紙面左側に配置され、バスバ４ｃの外部端子接続部４１とバスバ４ｄの外部端子接続部４１とが、基板用リレー１０の紙面右側に配置されている。これら複数のバスバ４ａ〜４ｄは、すべての外部端子接続部４１及び雌端子金具９の嵌合方向が同一となるように、また、前記嵌合方向がバスバ基板２Ａと平行になるように、外部端子接続部４１の絶縁板５Ａからの突出方向が揃えられている。また、図１，２中の矢印Ｓは、外部端子接続部４１と雌端子金具９との嵌合方向を表している。このように、本発明の電子部品組立体１Ａは、外部端子接続部４１と基板用リレー１０とが、外部端子接続部４１と雌端子金具９との嵌合方向と交差する方向に配置されている。
【００４４】
さらに、バスバ４ａの外部端子接続部４１と、バスバ４ｂの外部端子接続部４１とは、前記嵌合方向及び前記嵌合方向と直交する方向にずれた位置に配置されている。同様に、バスバ４ｃの外部端子接続部４１と、バスバ４ｄの外部端子接続部４１とは、前記嵌合方向及び前記嵌合方向と直交する方向にずれた位置に配置されている。すなわち、バスバ４ａ，４ｄの外部端子接続部４１は、バスバ４ｂ，４ｃの外部端子接続部４１よりも外側かつ上側に配置されている。また、バスバ４ａ，４ｄの外部端子接続部４１には、細い電線１２ａ，１２ｄに取り付けられた雌端子金具９が電気接続され、バスバ４ｂ，４ｃの外部端子接続部４１には、太い電線１２ｂ，１２ｃに取り付けられた雌端子金具９が電気接続される。
【００４５】
上記電子部品組立体１Ａは、インサート成形により複数のバスバ４ａ〜４ｄが絶縁板５Ａに取り付けられてバスバ基板２Ａが形成された後、基板用リレー１０及び抵抗１１がバスバ４ａ〜４ｄにはんだ付けされることにより組み立てられる。
【００４６】
上記保持部材３Ａは、耐熱樹脂で構成されており、保持部材本体部３０と、包囲壁３６と、を有している。保持部材本体部３０には、上面３１から凹に形成され、バスバ基板２Ａを収容する第１収容部３２と、下面３３から凹に形成され、各外部端子接続部４１及び各雌端子金具９をそれぞれ収容する複数の第２収容部３４と、が設けられている。これら第１収容部３２と複数の第２収容部３４とは連通している。また、保持部材本体部３０の外壁には、基板用リレー１０のリレー本体１０ａを内側に位置付ける切り欠き３５が形成されている。包囲壁３６は、切り欠き３５の縁から立設した３面の壁で構成されており、リレー本体１０ａの側面に沿う。前述した第１収容部３２、第２収容部３４、包囲壁３６で囲まれた空間は、請求項の「保持部材３Ａの収容部」に相当する。
【００４７】
上記電子部品モジュール１３Ａは、電子部品組立体１Ａが、図２中の矢印Ｔに沿って保持部材３Ａの前記収容部に挿入されることにより組み立てられる。さらに、複数の雌端子金具９が矢印Ｓに沿って保持部材３Ａの複数の第２収容部３４に挿入されることにより、各外部端子接続部４１と各雌端子金具９とが嵌合されるとともに電気接続される。また、図１（ｂ）のＰ１，Ｐ２，Ｐ３，Ｐ４は、外部端子接続部４１と雌端子金具９との接点を表している。このようにして、電子部品組立体１Ａは、基板用リレー１０と複数の雌端子金具９とを電気的に接続する。
【００４８】
本発明の電子部品組立体１Ａによれば、複数の外部端子接続部４１が基板用リレー１０の両側に配置され、これら複数の外部端子接続部４１と基板用リレー１０とが、外部端子接続部４１と雌端子金具９との嵌合方向と交差する方向に配置されているので、外部端子接続部４１と雌端子金具９との嵌合方向の寸法を、従来品（図２２を参照。）と比較して非常に小型化することができ、保持部材３Ａを小型化することができる。
【００４９】
また、本発明の電子部品組立体１Ａによれば、電子部品として、基板用リレー１０を採用していることから、従来品（図２２を参照。）と比較してさらに小型化することができる。
【００５０】
また、本発明の電子部品組立体１Ａによれば、図１（ｂ）に示すように、低い位置に配置された外部端子接続部４１に、太い電線１２ｂ，１２ｃに取り付けられた雌端子金具９が電気接続されるので、複数の電線１２ａ〜１２ｄを取り回す際、太い電線１２ｂ，１２ｃの曲げ量が少なくて済み、これら電線１２ａ〜１２ｄの取り回しを容易にすることができる。
【００５１】
また、本発明の電子部品組立体１Ａによれば、基板として、複数のバスバ４ａ〜４ｄが絶縁板５Ａに取り付けられたバスバ基板２Ａを採用していることから、製造コストを低く抑えることができる。
【００５２】
（第２の実施形態）
本発明の第２の実施形態にかかる「電子部品モジュール」及び「電気接続箱」を図３〜５を参照して説明する。また、図３〜５において、前述した第１の実施形態と同一構成部分には同一符号を付して説明を省略する。
【００５３】
本実施形態では、図３に示す電子部品モジュール１１３Ａは、自動車用の電気接続箱２１に用いられ、図４に示すように、電気接続箱２１のケース１５に取り付けられる。この電子部品モジュール１１３Ａは、複数の電子部品組立体１Ａ（図示例では７つ）と、これら複数の電子部品組立体１Ａが収容される保持部材１０３Ａと、を有している。また、電子部品組立体１Ａは、第１の実施形態で説明したものと同一である。
【００５４】
上記電気接続箱２１は、リレー１６、ヒューズ１７、電子部品モジュール１１３Ａ等の複数の部品と、これらを収容したケース１５と、を有するものである。ケース１５は、前記複数の部品が取り付けられるケース本体１５ａと、ケース本体１５ａの上面を覆うアッパーカバー（図９中に符号１５ｂで示す。）と、ケース本体１５ａの下面を覆うロアカバー（図９中に符号１５ｃで示す。）と、を有している。また、図４は、ケース本体１５ａ上面の平面図である。
【００５５】
上記保持部材１０３Ａは、合成樹脂で構成されており、図３に示すように、ブロック状に形成された本体ブロック１３０と、本体ブロック１３０の側面に設けられ、ケース１５に係止する係止部１３５と、を有している。本体ブロック１３０には、上面１３１から凹に形成され、バスバ基板２Ａ及び基板用リレー１０を収容する第１収容部１３２と、下面１３３から凹に形成され、各外部端子接続部４１及び電線１２の端末に取り付けられた各雌端子金具９をそれぞれ収容する複数の第２収容部１３４と、が設けられている。これら第１収容部１３２と複数の第２収容部１３４とは連通している。これら第１収容部１３２及び複数の第２収容部１３４は、請求項の「保持部材１０３Ａの収容部」に相当する。また、該収容部は、保持部材１０３Ａに７つ設けられている。
【００５６】
また、電子部品モジュール１１３Ａにおいては、すべての電子部品組立体１Ａの外部端子接続部４１及び雌端子金具９の嵌合方向（矢印Ｓ方向）が同一である。
【００５７】
上記電子部品モジュール１１３Ａは、複数の電子部品組立体１Ａが図３中の矢印Ｔに沿って保持部材１０３Ａの前記各収容部に挿入されることにより組み立てられる。さらに、複数の雌端子金具９が図３，５中の矢印Ｓに沿って保持部材１０３Ａの各第２収容部１３４に挿入されることにより、各外部端子接続部４１と各雌端子金具９とが嵌合されるとともに電気接続される。このようにして、電子部品組立体１Ａは、基板用リレー１０と複数の雌端子金具９とを電気的に接続する。
【００５８】
本発明の電子部品モジュール１１３Ａによれば、保持部材１０３Ａの矢印Ｓ方向及び矢印Ｔ方向の寸法を小型化することができる。また、該電子部品モジュール１１３Ａが適用された本発明の電気接続箱２１においては、ケース１５の高さ方向の寸法を小型化することができる。
【００５９】
また、本発明の「保持部材」は、第１の実施形態の保持部材３Ａのように、１つの電子部品組立体１Ａが装着される構成であっても良いし、第２の実施形態の保持部材１０３Ａのように、複数の電子部品組立体１Ａが装着される構成であっても良い。また、本発明の「保持部材」は、電子部品組立体と、ヒューズ等の他の電子部品とが装着される構成であっても良い。また、本発明の「保持部材」は、電気接続箱の本体（例えば、図９に示すケース本体１５ａ）と一体に形成されていても良い。
【００６０】
（第３の実施形態）
本発明の第３の実施形態にかかる「電子部品組立体」及び「電子部品モジュール」を図６〜７を参照して説明する。また、図６〜７において、前述した第１〜２の実施形態と同一構成部分には同一符号を付して説明を省略する。
【００６１】
上記電子部品組立体１Ｂは、図６，７に示すように、基板用リレー１０と、絶縁板５Ｂに複数のバスバ４ａ’，４ｂ，４ｃ，４ｄ’が取り付けられて成るバスバ基板２Ｂと、を有している。また、電子部品組立体１Ｂは、保持部材３Ｂの内部空間、すなわち収容部、に収容される。
【００６２】
上記電子部品モジュール１３Ｂは、上記電子部品組立体１Ｂと、上記保持部材３Ｂと、を有するものである。
【００６３】
これら複数のバスバ４ａ’，４ｂ，４ｃ，４ｄ’のうち、バスバ４ａ’，４ｄ’は、中間部４３が基板用リレー１０側に直角に折り曲げられている。すなわち、電子部品組立体１Ｂは、バスバ４ａ’，４ｄ’の中間部４３が折り曲げられていること以外は、第１の実施形態で説明した電子部品組立体１Ａと同一の構成である。
【００６４】
また、図６（ｂ）のＰ１１，Ｐ１２，Ｐ１３，Ｐ１４は、外部端子接続部４１と雌端子金具９との接点を表している。
【００６５】
本発明の電子部品組立体１Ｂによれば、その投影形状すなわち平面形状が、図６（ａ）に示すように矩形状となり、保持部材３Ｂにデッドスペースを生じにくくすることができる。
【００６６】
（第４の実施形態）
本発明の第４の実施形態にかかる「電子部品モジュール」及び「電気接続箱」を図８〜９を参照して説明する。また、図８〜９において、前述した第１〜３の実施形態と同一構成部分には同一符号を付して説明を省略する。
【００６７】
本実施形態では、図８，９に示す本発明の電子部品モジュール１１３Ｂは、自動車用の電気接続箱２２に用いられ、電気接続箱２２のケース１５に取り付けられる。この電子部品モジュール１１３Ｂは、複数の電子部品組立体１Ｂ（図示例では７つ）と、これら複数の電子部品組立体１Ｂが収容される保持部材１０３Ｂと、を有している。また、電子部品組立体１Ｂは、第３の実施形態で説明したものと同一である。
【００６８】
上記電気接続箱２２は、リレー１６、ヒューズ１７、電子部品モジュール１１３Ｂ等の複数の部品と、これらを収容したケース１５と、を有するものである。ケース１５は、前記複数の部品が取り付けられるケース本体１５ａと、ケース本体１５ａの上面を覆うアッパーカバー１５ｂと、ケース本体１５ａの下面を覆うロアカバー１５ｃと、を有している。
【００６９】
また、電気接続箱２２は、図９に示すように、ケース１５内にワイヤハーネス１８が通されており、ワイヤハーネス１８の上に電子部品モジュール１１３Ｂが配置されたレイアウトとなっている。このため、電子部品モジュール１１３Ｂに対しては、特にその高さ方向（矢印Ｙ方向）の寸法に厳しい制約があるが、本発明の電子部品モジュール１１３Ｂは、保持部材１０３Ｂの高さ方向の寸法Ｈ１を、外部端子接続部４１と接続される雌端子金具９（図７を参照。）の長さ程度とすることができ、ケース１５における厳しい搭載条件を満たすことができる。
【００７０】
なお、電気接続箱２２は、図９に示すように、搭載スペースに余裕がある部位においては、電子部品組立体１Ｂではなく、リレー１６と複数の雌端子金具１４とをコネクタ接続により電気接続する従来の接続構造を採用している。この場合、ケース１５内に占める高さ方向の寸法が、リレー本体１６ａの高さ寸法と、コネクタ１９の高さ寸法とを合わせた寸法Ｈ２となる。すなわち、本発明の電子部品組立体１Ｂを有する電子部品モジュール１１３Ｂによれば、ケース１５内に占める高さ方向の寸法Ｈ１を、従来品の約半分にすることができる。
【００７１】
（第５の実施形態）
本発明の第５の実施形態にかかる「電子部品組立体」及び「電子部品モジュール」を図１０〜１１を参照して説明する。また、図１０〜１１において、前述した第１〜４の実施形態と同一構成部分には同一符号を付して説明を省略する。
【００７２】
上記電子部品組立体１Ｃは、図１０，１１に示すように、基板用リレー１０と、該基板用リレー１０が電気接続されているとともに雌端子金具９と嵌合される外部端子接続部６ａ，６ｂ，６ｃ，６ｄと、を有するものであり、基板用リレー１０と複数の雌端子金具９とを電気的に接続するためのものである。また、電子部品組立体１Ｃは、保持部材３Ｃの内部空間、すなわち収容部、に収容される。
【００７３】
上記電子部品モジュール１３Ｃは、上記電子部品組立体１Ｃと、上記保持部材３Ｃと、を有するものである。
【００７４】
上記電子部品組立体１Ｃの構成を詳細に説明する。電子部品組立体１Ｃは、基板用リレー１０と、絶縁板５Ｃに配線パターンが印刷されたプリント基板２Ｃ（請求項の「基板」に相当する。）と、を有している。また、上記外部端子接続部６ａ，６ｂ，６ｃ，６ｄは、前記配線パターンの一部である。これら外部端子接続部６ａ，６ｂ，６ｃ，６ｄは、絶縁板５Ｃと共に雌端子金具９の一対の挟持片９２間に挿入される、すなわち嵌合される、ことにより該雌端子金具９と電気接続される。また、複数の外部端子接続部６ａ，６ｂ，６ｃ，６ｄの配置についての構成は、第１の実施形態の外部端子接続部４１と同一である。また、図１０（ｂ）のＰ２１，Ｐ２２，Ｐ２３，Ｐ２４は、外部端子接続部６ａ，６ｂ，６ｃ，６ｄと雌端子金具９との接点を表している。
【００７５】
このように、本発明の電子部品組立体１Ｃは、外部端子接続部６ａ，６ｂ，６ｃ，６ｄと基板用リレー１０とが、外部端子接続部６ａ，６ｂ，６ｃ，６ｄと雌端子金具９との嵌合方向と交差する方向に配置されている。
【００７６】
本発明の電子部品組立体１Ｃによれば、基板として、絶縁板５Ｃに配線パターンが印刷されたプリント基板２Ｃを採用していることから、回路配索の自由度を高めることができる。
【００７７】
（第６の実施形態）
本発明の第６の実施形態にかかる「電子部品組立体」及び「電子部品モジュール」を図１２〜１３を参照して説明する。また、図１２〜１３において、前述した第１〜５の実施形態と同一構成部分には同一符号を付して説明を省略する。
【００７８】
上記電子部品組立体１Ｄは、図１２，１３に示すように、基板用リレー１０と、該基板用リレー１０に電気接続されているとともに雌端子金具７（請求項の「外部端子」に相当する。）と嵌合される外部端子接続部４１と、を有するものであり、基板用リレー１０と複数の雌端子金具７とを電気的に接続するためのものである。また、電子部品組立体１Ｄは、保持部材３Ｄの内部空間、すなわち収容部、に収容される。
【００７９】
上記電子部品モジュール１３Ｄは、上記電子部品組立体１Ｄと、上記保持部材３Ｄと、スペーサ８と、を有するものである。
【００８０】
上記複数の雌端子金具７は、電線１２ａ〜１２ｄの端末に取り付けられたものであり、電線１２ａ〜１２ｄと電気接続される電線接続部７１と、電子部品組立体１Ｄの外部端子接続部４１を内側に位置付ける筒部７２と、電線接続部７１と筒部７２との間に位置する首部７３と、を有している。この雌端子金具７は、第１〜５の実施形態の雌端子金具９よりも小型のものである。
【００８１】
上記電子部品組立体１Ｄの構成を詳細に説明する。電子部品組立体１Ｄは、基板用リレー１０と、絶縁板５Ｄに複数のバスバ４ｅ，４ｆ，４ｇ，４ｈが取り付けられて成るバスバ基板２Ｄと、を有している。これら複数のバスバ４ｅ，４ｆ，４ｇ，４ｈは、同一平面上に配置されている。複数のバスバ４ｅ〜４ｈの外部端子接続部４１は、基板用リレー１０の両側に配置されている。また、複数のバスバ４ｅ〜４ｈの外部端子接続部４１は、一直線上に配置されている。
【００８２】
また、図１２（ｂ）のＰ３１，Ｐ３２，Ｐ３３，Ｐ３４は、外部端子接続部４１と雌端子金具７との接点を表している。
【００８３】
上記保持部材３Ｄは、耐熱樹脂で構成されており、保持部材本体部３０と、包囲壁３６と、を有している。上記雌端子金具７は、保持部材３Ｄの第２収容部３４に収容される。保持部材本体部３０の第２収容部３４の外壁には、上記スペーサ８が装着される開口部３７が形成されている。
【００８４】
上記スペーサ８は、合成樹脂で構成されており、開口部３７から各第２収容部３４内に挿入されて、各雌端子金具７の首部７３を押さえる複数の押さえ部８２と、複数の押さえ部８２に連なった連結部８１と、を有している。このように、スペーサ８は、複数の雌端子金具７の抜け止めを行う。
【００８５】
本発明の電子部品モジュール１３Ｄによれば、第２収容部３４内に挿入されることにより雌端子金具７の抜け止めを行うスペーサ８をさらに有しているので、小型の雌端子金具７を用いた場合でも外部端子接続部４１と雌端子金具７との接続信頼性を保持することができる。
【００８６】
（第７の実施形態）
本発明の第７の実施形態にかかる「電子部品組立体」及び「電子部品モジュール」を図１４〜２０を参照して説明する。また、図１４〜２０において、前述した第１〜６の実施形態と同一構成部分には同一符号を付して説明を省略する。
【００８７】
上記電子部品組立体１Ｅは、図１４，１５，１７に示すように、基板用リレー１０と、該基板用リレー１０に電気接続されているとともに雌端子金具９と嵌合される外部端子接続部４１と、を有するものであり、基板用リレー１０と複数の雌端子金具９とを電気的に接続するためのものである。また、電子部品組立体１Ｅは、保持部材１０３Ｅの内部空間、すなわち収容部、に収容される。
【００８８】
上記電子部品モジュール１１３Ｅは、第２，第４の実施形態と同様に、自動車用の電気接続箱に用いられるものであり、電気接続箱のケースに取り付けられる。この電子部品モジュール１１３Ｅは、図１８に示すように、複数の電子部品組立体１Ｅ（図示例では６つ）と、これら複数の電子部品組立体１Ｅが収容される保持部材１０３Ｅと、を有している。
【００８９】
上記保持部材１０３Ｅは、合成樹脂で構成されており、図１４，１７に示すように、本体ブロック１３０と、係止部１３５と、を有している。本体ブロック１３０には、上面１３１から凹に形成され、バスバ基板２Ｅ及び基板用リレー１０を収容する第１収容部１３２と、上面１３１及び下面１３３に開口し、各外部端子接続部４１及び電線１２の端末に取り付けられた各雌端子金具９をそれぞれ収容する複数の第２収容部１３４と、が設けられている。これら第１収容部１３２及び複数の第２収容部１３４は、請求項の「保持部材１０３Ｅの収容部」に相当する。また、該収容部は、保持部材１０３Ｅに６つ設けられている。
【００９０】
上記電子部品組立体１Ｅの構成を詳細に説明する。電子部品組立体１Ｅは、基板用リレー１０と、絶縁板５Ｅに複数のバスバ４ｅ’，４ｆ’，４ｇ’，４ｈ’が取り付けられて成るバスバ基板２Ｅと、を有している。図１６に示す複数のバスバ４ｅ’，４ｆ’，４ｇ’，４ｈ’は、インサート成形により絶縁板５Ｅに取り付けられている。
【００９１】
上記複数のバスバ４ｅ’，４ｆ’，４ｇ’，４ｈ’の外部端子接続部４１は、基板用リレー１０の両側に配置されている。また、すべてのバスバ４ｅ’，４ｆ’，４ｇ’，４ｈ’は、中間部４３が基板用リレー１０側に直角に折り曲げられている。また、これら複数のバスバ４ｅ’，４ｆ’，４ｇ’，４ｈ’は、すべての外部端子接続部４１に対する雌端子金具９の嵌合方向及び雌端子金具９の向きが同一となるように、また、前記嵌合方向がバスバ基板２Ｅと平行になるように、外部端子接続部４１の絶縁板５Ｅからの突出方向が揃えられている。
【００９２】
このように、本発明の電子部品組立体１Ｅは、外部端子接続部４１と基板用リレー１０とが、外部端子接続部４１と雌端子金具９との嵌合方向と交差する方向に配置されているので、外部端子接続部４１と雌端子金具９との嵌合方向の寸法を、従来品（図２２を参照。）と比較して非常に小型化することができ、保持部材１０３Ｅを小型化することができる。
【００９３】
また、本発明の電子部品組立体１Ｅは、すべてのバスバ４ｅ’，４ｆ’，４ｇ’，４ｈ’の中間部４３が基板用リレー１０側に直角に折り曲げられており、その投影形状すなわち平面形状が図１４，１８に示すように矩形状となるので、保持部材１０３Ｅにデッドスペースを生じにくくすることができる。さらに、本発明の電子部品組立体１Ｅは、すべての外部端子接続部４１に対する雌端子金具９の嵌合方向及び雌端子金具９の向きが同一であるので、外部端子接続部４１と雌端子金具９との嵌合作業を効率化することができる。さらに、電子部品モジュール１１３Ｅにおいては、すべての電子部品組立体１Ｅの外部端子接続部４１及び雌端子金具９の嵌合方向（矢印Ｓ方向）及び雌端子金具９の向きが同一である。
【００９４】
上記絶縁板５Ｅには、図１５に示すように、基板用リレー１０が載置されるとともにバスバ４ｅ’，４ｆ’，４ｇ’，４ｈ’の部品搭載部４２が埋設された平板部５０と、平板部５０の下端から突出するとともに外部端子接続部４１よりも第１収容部１３２への挿入方向先端側に突出した挿入ガイド部５１と、が設けられている。挿入ガイド部５１の幅は、平板部５０の幅よりも小さい。さらに、挿入ガイド部５１の先端には、第１収容部１３２への挿入方向先端側に向かうにしたがって絶縁板５Ｅの厚みを徐々に小さくするテーパー５２が形成されている。また、絶縁板５Ｅにおける前記挿入方向後端、すなわち平板部５０の上端、には、平坦面５３が形成されている。平坦面５３は、平面視がコ字状の形状とされている。
【００９５】
上記電子部品モジュール１１３Ｅは、複数の電子部品組立体１Ｅが図１４中の矢印Ｔに沿って保持部材１０３Ｅの前記各収容部に挿入されることにより組み立てられる。この際、平坦面５３を押すことで容易に電子部品組立体１Ｅを挿入することができる。また、この際、外部端子接続部４１が第２収容部１３４に挿入される前に挿入ガイド部５１が第１収容部１３２に挿入されることになり、そのために、外部端子接続部４１を矢印Ｔ方向に真っ直ぐ第２収容部１３４に挿入することができる。よって、外部端子接続部４１のこじりを防止できる。また、挿入ガイド部５１の先端にはテーパー５２が形成されているので、挿入ガイド部５１を容易に第１収容部１３２に挿入することができる。
【００９６】
さらに、電子部品モジュール１１３Ｅは、複数の雌端子金具９が図１７中の矢印Ｓに沿って保持部材１０３Ｅの各第２収容部１３４に下面１３３側から挿入されることにより、各外部端子接続部４１と各雌端子金具９とが嵌合されるとともに電気接続される。このようにして、電子部品組立体１Ｅは、基板用リレー１０と複数の雌端子金具９とを電気的に接続する。
【００９７】
次に、上記電子部品モジュール１１３Ｅを分解する方法、すなわち電子部品組立体１Ｅを保持部材１０３Ｅから外す方法の一例を説明する。電子部品組立体１Ｅを保持部材１０３Ｅから外す際は、図１８〜２０に示す治具１１０を使用する。治具１１０は、棒状の操作部１１１と、操作部１１１の中央から垂直方向に棒状に延びた柱部１１２と、柱部１１２の先端に連なった断面コ字型の作用部１１３と、作用部１１３の両端から互いに離れる方向に延びた延長部１１４と、を有している。
【００９８】
上記治具１１０の操作部１１１を握り、当該治具１１０を図１８中の矢印Ｄ１方向にスライドさせて、図１９に示すように作用部１１３を基板用リレー１０の上方に位置付けるとともに一対の延長部１１４を平坦面５３の下方に位置付け、当該治具１１０を図１８中の矢印Ｄ２方向に引き上げることにより、電子部品組立体１Ｅを保持部材１０３Ｅから外すことができる。
【００９９】
上述した第１〜７の実施形態で説明した電子部品組立体１Ａ〜１Ｅ及び電子部品モジュール１３Ａ〜１３Ｄ，１１３Ａ，１１３Ｂ，１１３Ｅは、自動車用の電気接続箱に用いられるが、それ以外にも種々の電子機器に用いることができる。また、上述した第１〜７の実施形態においては、基板に基板用リレー１０が搭載される例を説明したが、本発明の電子部品組立体及び電子部品モジュールは、基板に、基板用リレー１０だけでなく、半導体等、種々の電子部品を搭載することができる。
【０１００】
また、本発明の電子部品組立体１Ａ〜１Ｅの外部端子接続部４１，６ａ〜６ｄには、図２１に示す外部端子１０７を電気接続することも可能である。この外部端子１０７は、電線１２の端末に取り付けられるものであり、電線１２と電気接続される電線接続部７１と、外部端子接続部４１，６ａ〜６ｄと電気接続される相手側接続部７４と、を有している。相手側接続部７４は、板状に形成されており、外部端子接続部４１，６ａ〜６ｄが圧入される、すなわち嵌合される、スリット７５が設けられている。外部端子接続部４１，６ａ〜６ｄは、スリット７５に電線１２の軸方向に進入して外部端子１０７と嵌合されるとともに電気接続される。
【０１０１】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【０１０２】
１Ａ，１Ｂ，１Ｃ，１Ｄ，１Ｅ  電子部品組立体
３Ａ，３Ｂ，３Ｃ，３Ｄ，１０３Ａ，１０３Ｂ，１０３Ｅ  保持部材
６ａ，６ｂ，６ｃ，６ｄ，４１  外部端子接続部
７，９  雌端子金具（外部端子）
１０  基板用リレー（電子部品）
【図１】
0005916113.tif 000002
【図２】
0005916113.tif 000003
【図３】
0005916113.tif 000004
【図４】
0005916113.tif 000005
【図５】
0005916113.tif 000006
【図６】
0005916113.tif 000007
【図７】
0005916113.tif 000008
【図８】
0005916113.tif 000009
【図９】
0005916113.tif 000010
【図１０】
0005916113.tif 000011
【図１１】
0005916113.tif 000012
【図１２】
0005916113.tif 000013
【図１３】
0005916113.tif 000014
【図１４】
0005916113.tif 000015
【図１５】
0005916113.tif 000016
【図１６】
0005916113.tif 000017
【図１７】
0005916113.tif 000018
【図１８】
0005916113.tif 000019
【図１９】
0005916113.tif 000020
【図２０】
0005916113.tif 000021
【図２１】
0005916113.tif 000022
【図２２】
0005916113.tif 000023